(57)【特許請求の範囲】
【請求項１】
第１表示部と、
第２表示部と、
前記第１表示部に対する入力を検出する第１検出部と、
前記第２表示部に対する入力を検出する第２検出部と、
前記入力を無効にするキーロック機能を設定および解除する機能制御部と、
前記第１検出部により検出される入力と前記第２検出部により検出される入力との組合せからなり、前記キーロック機能を解除するための解除条件を記憶する記憶部と、を備え、
前記機能制御部は、前記キーロック機能を設定している場合に、前記第１検出部により検出された入力および前記第２検出部により検出された入力が、前記記憶部に記憶された前記解除条件に一致したとき、前記第１検出部および前記第２検出部の少なくともいずれか一方に対する前記キーロック機能を解除し、
さらに、前記機能制御部は、前記第１検出部により検出された入力および前記第２検出部により検出された入力が、前記記憶部に記憶された前記解除条件に一致すると、前記第１検出部および前記第２検出部のうち何れについて前記キーロック機能を解除するかを受け付けるための処理を実行する、
ことを特徴とする携帯端末装置。
【請求項２】
第１表示部と、
第２表示部と、
前記第１表示部に対する入力を検出する第１検出部と、
前記第２表示部に対する入力を検出する第２検出部と、
前記入力を無効にするキーロック機能を設定および解除する機能制御部と、
前記第１検出部により検出される入力と前記第２検出部により検出される入力との組合せからなり、前記キーロック機能を解除するための解除条件を記憶する記憶部と、を備え、
前記機能制御部は、前記キーロック機能を設定している場合に、前記第１検出部により検出された入力および前記第２検出部により検出された入力が、前記記憶部に記憶された前記解除条件に一致したとき、前記第１検出部および前記第２検出部の少なくともいずれか一方に対する前記キーロック機能を解除し、
さらに、前記機能制御部は、前記第１検出部および前記第２検出部のうち、前記第１検出部に対する前記キーロック機能のみが解除されると、前記第２表示部を消灯し、前記第１検出部および前記第２検出部のうち、前記第２検出部に対する前記キーロック機能のみが解除されると、前記第１表示部を消灯する、
ことを特徴とする携帯端末装置。
【請求項３】
請求項１または２に記載の携帯端末装置において、
前記機能制御部は、前記解除条件の設定を受け付けるための処理を、さらに実行する、
ことを特徴とする携帯端末装置。
【請求項４】
請求項１ないし３の何れか一項に記載の携帯端末装置において、
前記解除条件は、前記第１表示部および前記第２表示部に対するタッチの順序および回数の少なくともいずれか１つを含む、
ことを特徴とする携帯端末装置。
【請求項５】
請求項１ないし４の何れか一項に記載の携帯端末装置おいて、
前記解除条件は、前記第１表示部および前記第２表示部に対してタッチした位置をタッチしたまま移動させる入力を含む、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、携帯端末装置には、キーボタンやタッチパネルに対する入力を無効にするキーロック機能が設けられている。かかるキーロック機能が携帯端末装置に設定されていると、ユーザはキーロック機能を解除してから携帯端末装置を使用することになる。
【０００３】
かかる携帯端末装置では、たとえば、設定したキーボタンが設定時間以上押し続けると、キーロック機能が解除される（たとえば、特許文献１参照）。
【先行技術文献】
【特許文献】
【０００４】
【特許文献１】特開２００９−２３９４７７号公報
【発明の概要】
【発明が解決しようとする課題】
【０００５】
上記の構成では、携帯端末装置がかばんの中に入っているときに、設定されたキーボタンに物が偶然に当たり続けることが起こり得る。このような場合には、ユーザの意図に反して、キーロック機能が簡単に解除されてしまう虞がある。
【０００６】
本発明は、かかる課題に鑑みてなされたものであり、ユーザの意図に応じてキーロック機能の解除を行うことができる、複数の画面を含む携帯端末装置を提供することを目的とする。
【課題を解決するための手段】
【０００７】
本発明の携帯端末装置は、第１表示部と、第２表示部と、前記第１表示部に対する入力を検出する第１検出部と、前記第２表示部に対する入力を検出する第２検出部と、前記入力を無効にするキーロック機能を設定および解除する機能制御部と、前記第１検出部により検出される入力と前記第２検出部により検出される入力との組合せからなり、前記キーロック機能を解除するための解除条件を記憶する記憶部と、を備える。ここで、前記機能制御部は、前記キーロック機能を設定している場合に、前記第１検出部により検出された入力および前記第２検出部により検出された入力が、前記記憶部に記憶された前記解除条件に一致したとき、前記第１検出部および前記第２検出部の少なくともいずれか一方に対する前記キーロック機能を解除する。
【０００８】
前記機能制御部は、さらに、前記第１検出部により検出された入力および前記第２検出部により検出された入力が、前記記憶部に記憶された前記解除条件に一致すると、前記第１検出部および前記第２検出部のうち何れについて前記キーロック機能を解除するかを受け付けるための処理を実行する。
【０００９】
あるいは、前記機能制御部は、さらに、前記第１検出部および前記第２検出部のうち、前記第１検出部に対する前記キーロック機能のみが解除されると、前記第２表示部を消灯し、前記第１検出部および前記第２検出部のうち、前記第２検出部に対する前記キーロック機能のみが解除されると、前記第１表示部を消灯する。
【００１０】
本態様に係る携帯端末装置において、前記機能制御部は、前記解除条件の設定を受け付けるための処理を、さらに実行し得る。
【００１１】
本態様に係る携帯端末装置において、前記解除条件は、前記第１表示部および前記第２表示部に対するタッチの順序および回数の少なくともいずれか１つを含み得る。
【００１２】
本態様に係る携帯端末装置において、前記解除条件は、前記第１表示部および前記第２表示部に対してタッチした位置をタッチしたまま移動させる入力を含み得る。
【発明の効果】
【００１３】
本発明によれば、ユーザの意図に応じてキーロック機能の解除を行うことができる、複数の画面を含む携帯端末装置を提供することができる。
【００１４】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１５】
【図１】実施の形態に係る携帯電話機の外観構成を示す図である。
【図２】実施の形態に係る携帯電話機の状態の切り替えを説明するための図である。
【図３】実施の形態に係る携帯電話機の全体構成を示すブロック図である。
【図４】実施の形態に係る各表示面に表示される画面を示す図である。
【図５】実施の形態に係るキーロック機能を解除する処理手順を示すフローチャートである。
【図６】実施の形態に係る各表示面に表示される画面を示す図である。
【図７】実施の形態に係る認証付きキーロック機能を解除する処理手順を示すフローチャートである。
【図８】実施の形態に係る各表示面に表示される画面を示す図である。
【発明を実施するための形態】
【００１６】
以下、本発明の実施の形態について、図面を参照して説明する。
【００１７】
＜携帯電話機の構成＞
図１は、携帯電話機１の構成を示す分解斜視図である。携帯電話機１は、第１キャビネット１０と、第２キャビネット２０と、これら第１、第２キャビネット１０、２０を保持する保持体３０とで構成されている。
【００１８】
第１キャビネット１０は、横長の直方体形状を有する。第１キャビネット１０には、第１タッチパネルが配されている。第１タッチパネルは、第１ディスプレイ１１、第１タッチセンサ１２および第１透明カバー１３を含む。
【００１９】
第１ディスプレイ１１は、第１表示部に相当し、第１表示面１１ａ１に第１画面を表示する。第１ディスプレイ１１は、第１液晶パネル１１ａおよび第１液晶パネル１１ａを照明する第１バックライト１１ｂで構成されている。第１液晶パネル１１ａの前面に第１表示面１１ａ１が設けられる。第１ディスプレイ１１の上に第１タッチセンサ１２が重ねられて配されている。第１バックライト１１ｂは１つまたは複数の光源を含む。
【００２０】
第１タッチセンサ１２は、第１検出部に相当する。第１タッチセンサ１２は、第１表示面１１ａ１に表示された第１画面に対しユーザが入力したこと、および入力した位置を検出する。第１タッチセンサ１２は、透明な長方形状のシートであり、第１ディスプレイ１
１の第１表示面１１ａ１を覆う。第１タッチセンサ１２は、マトリクス状に配された第１透明電極と第２透明電極とを備えている。第１タッチセンサ１２は、これら透明電極間の静電容量の変化を検出することによって、ユーザが触れた第１表示面１１ａ１上の位置を検出し、その位置に応じた位置信号を出力する。なお、ユーザが第１表示面１１ａ１を触れるとは、たとえば、指やペンなどの接触部材によって第１表示面１１ａ１をユーザが押したり、撫でたり、図形や文字を描いたりすることである。また、第１表示面１１ａ１を触れるとは、実際には、後述する第１透明カバー１３の中で第１画面が映る領域を触れることである。
【００２１】
第１透明カバー１３が、第１タッチセンサ１２の上に重ねられている。第１透明カバー１３は、第１タッチセンサ１２を覆い、第１キャビネット１０の正面に現れる。
【００２２】
第１キャビネット１０の内部には、中央やや後ろ位置にカメラモジュール１４が配されている。このカメラモジュール１４における被写体像を取り込むためのレンズ窓（図示せず）が、第１キャビネット１０の下面に設けられている。
【００２３】
また、第１キャビネット１０の内部には、前面近傍の中央位置に磁石１５が配されており、右前角部に磁石１６が配されている。
【００２４】
さらに、第１キャビネット１０の右側面および左側面には、突起部１７が設けられている。
【００２５】
第２キャビネット２０は、横長の直方体形状であって、第１キャビネット１０とほぼ同じ形状と大きさを有する。第２キャビネット２０には、第２タッチパネルが配されている。第２タッチパネルは、第２ディスプレイ２１、第２タッチセンサ２２および第２透明カバー２３を含む。
【００２６】
第２ディスプレイ２１は、第２表示部に相当し、第２表示面２１ａ１に第２画面を表示する。第２ディスプレイ２１は、第２液晶パネル２１ａおよび、第２液晶パネル２１ａを照明する第２バックライト２１ｂで構成されている。第２液晶パネル２１ａの前面に第２表示面２１ａ１が設けられる。第２バックライト２１ｂは１つまたは複数の光源を含む。なお、第１ディスプレイ１１および第２ディスプレイ２１は、有機ＥＬ等他の表示素子により構成されてもよい。
【００２７】
第２タッチセンサ２２は、第２検出部に相当する。第２タッチセンサ２２は、第２表示面２１ａ１に表示された第２画面に対してユーザが入力したこと、および入力位置を検出する。第２タッチセンサ２２が第２ディスプレイ２１に重ねられている。第２タッチセンサ２２は第２ディスプレイ２１を覆い、第２タッチセンサ２２の上に第２透明カバー２３が重ねられている。なお、第２タッチセンサ２２の構成は、第１タッチセンサ１２と同様である。なお、ユーザが第２表示面２１ａ１を触れるとは、実際には、後述する第２透明カバー２３の中で第２画面が映る領域をユーザが指などで触れることである。
【００２８】
第２透明カバー２３は、第２タッチセンサ２２を覆い、第２キャビネット２０の正面に現れる。
【００２９】
第２キャビネット２０の内部には、後面近傍の中央位置に磁石２４が配されている。
この磁石２４と第１キャビネット１０の磁石１５とは、開状態で互いに引き合うよう構成されている。なお、開状態は、後述の如く、第１キャビネット１０と第２キャビネット２０が、双方のディスプレイ１１、２１により大画面を構成するように配置された状態である。また、磁石２４または磁石１５のいずれか一方の磁力が十分大きければ、他方の磁石
を磁性体に代えてもよい。
【００３０】
第２キャビネット２０の内部において、右前角部には閉鎖センサ２５が配されており、右後角部には開放センサ２６が配されている。これらセンサ２５、２６は、たとえば、ホールＩＣなどで構成され、磁石１６の磁力に反応して検出信号を出力する。後述するように、第１キャビネット１０と第２キャビネット２０とが重なると、第１キャビネット１０の磁石１６が閉鎖センサ２５に接近するので、閉鎖センサ２５からＯＮ信号が出力される。一方、第１キャビネット１０と第２キャビネット２０とが前後に並んだ状態になると、第１キャビネット１０の磁石１６が開放センサ２６に接近するので、開放センサ２６からＯＮ信号が出力される。
【００３１】
さらに、第２キャビネット２０の両側面にはそれぞれ２つの軸部２７、２７が設けられている。
【００３２】
保持体３０は、底板部３１と、底板部３１の右端部に形成された右保持部３２と、底板部３１の左端部に形成された左保持部３３とで構成されている。
【００３３】
底板部３１には、３つのコイルバネ３４が左右方向に並ぶように配されている。これらコイルバネ３４は、第２キャビネット２０が保持体３０に取り付けられた状態において、第２キャビネット２０の下面に当接し、第２キャビネット２０に対して上方に押し上げる力を付与する。
【００３４】
右保持部３２の上面にはマイク３５および電源キー３６が配されている。左保持部３３の上面には、スピーカ３８が配されている。
【００３５】
また、右保持部３２の外側面には、複数のハードキー３７が配されている。所定のハードキー３７が押されると、携帯電話機１の動作が一時的に停止した省電力機能が解除され、携帯電話機１の動作が再開する。
【００３６】
右保持部３２および左保持部３３の内側面には、案内溝３９（左保持部３３側のみ図示）が形成されている。案内溝３９は、上溝３９ａ、下溝３９ｂおよび２つの縦溝３９ｃとで構成されている。上溝３９ａおよび下溝３９ｂは前後方向に延び、縦溝３９ｃは、上溝３９ａと下溝３９ｂとを繋ぐように上下に延びる。
【００３７】
携帯電話機１を組み立てる際には、軸部２７が案内溝３９の下溝３９ｂに挿入され、第２キャビネット２０が保持体３０の収容領域Ｒ内に配置される。突起部１７が案内溝３９の上溝３９ａに挿入され、第１キャビネット１０が第２キャビネット２０の上に配置され、第１キャビネット１０が保持体３０の収容領域Ｒ内に収まる。
【００３８】
こうして、底板部３１、右保持部３２および左保持部３３に囲まれた収容領域Ｒの中に、第１キャビネット１０および第２キャビネット２０が上下に重なった状態で収容される。この状態では、第１キャビネット１０は、上溝３９ａに案内されて前後にスライド可能である。第２キャビネット２０は、下溝３９ｂに案内されて前後にスライド可能である。また、第２キャビネット２０が前方に移動し、軸部２７が縦溝３９ｃまでくると、第２キャビネット２０は、縦溝３９ｃに案内されて上下にスライド可能となる。
【００３９】
図２は、携帯電話機１を閉状態から開状態へ切り替えるための操作について説明するための図である。
【００４０】
図２（ａ）に示す閉状態では、第１キャビネット１０が第２キャビネット２０の上に重
ねられて、携帯電話機１が畳まれる。第２表示面２１ａ１が隠れ、第１表示面１１ａ１のみが外部に露出する。
【００４１】
図２（ｂ）に示すように、ユーザが、第１キャビネット１０を矢印に示す後方に移動させて、図２（ｃ）に示すように、第２キャビネット２０を前方へ引き出す。そして、第２キャビネット２０が第１キャビネット１０に完全に重ならなくなると、図１に示す軸部２７、２７が縦溝３９ｃにくる。これにより、軸部２７、２７が縦溝３９ｃに沿って動き、第２キャビネット２０は上下に移動可能になる。このとき、コイルバネ３４の弾力と、磁石１５および磁石２４の引力とにより、第２キャビネット２０は上昇する。
【００４２】
図２（ｄ）に示すように、第２キャビネット２０が第１キャビネット１０と密着した並び、第２キャビネット２０の第２表示面２１ａ１が第１表示面１１ａ１と同じ高さになる。これにより、携帯電話機１は開状態に切り替えられる。開状態では、第１キャビネット１０および第２キャビネット２０が広げられて、第１表示面１１ａ１と第２表示面２１ａ１の双方が外部に露出する。
【００４３】
図３は、携帯電話機１の全体構成を示すブロック図である。本実施の形態の携帯電話機１は、上述した各構成要素の他、ＣＰＵ１００、メモリ２００、映像エンコーダ３０１、音声エンコーダ３０２、キー入力回路３０３、通信モジュール３０４、バックライト駆動回路３０５、映像デコーダ３０６、音声デコーダ３０７、バッテリー３０９、電源部３１０、クロック３１１を備えている。
【００４４】
カメラモジュール１４はＣＣＤ等の撮像素子を有する。カメラモジュール１４は、撮像素子から出力された撮像信号をデジタル化し、その撮像信号にガンマ補正等の各種補正を施して映像エンコーダ３０１へ出力する。映像エンコーダ３０１は、カメラモジュール１４からの撮像信号にエンコード処理を施してＣＰＵ１００へ出力する。
【００４５】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００４６】
キー入力回路３０３は、電源キー３６やハードキー３７の各キーが押されたときに、各キーに応じた入力信号をＣＰＵ１００へ出力する。
【００４７】
通信モジュール３０４は、ＣＰＵ１００からの情報を無線信号に変換し、アンテナ３０４ａを介して基地局へ送信する。また、通信モジュール３０４は、アンテナ３０４ａを介して受信した無線信号を情報に変換してＣＰＵ１００へ出力する。
【００４８】
バックライト駆動回路３０５は、ＣＰＵ１００からの制御信号に応じた電圧を第１バックライト１１ｂおよび第２バックライト２１ｂにかける。第１バックライト１１ｂは、バックライト駆動回路３０５による電圧により点灯し、第１液晶パネル１１ａを照明する。第２バックライト２１ｂは、バックライト駆動回路３０５による電圧により点灯し、第２液晶パネル２１ａを照明する。
【００４９】
映像デコーダ３０６は、ＣＰＵ１００からの画像情報を第１液晶パネル１１ａおよび第２液晶パネル２１ａで表示できる画像信号に変換し、これらを液晶パネル１１ａ、２１ａに出力する。第１液晶パネル１１ａは、画像信号に応じた第１画面を第１表示面１１ａ１に表示する。第２液晶パネル２１ａは、映像信号に応じた第２画面を第２表示面２１ａ１に表示する。
【００５０】
音声デコーダ３０７は、ＣＰＵ１００からの音声信号と、着信音やアラーム音等の各種報知音の音信号とにデコード処理を施し、さらにアナログの音声信号に変換してスピーカ３８に出力する。スピーカ３８は、音声デコーダ３０７からの音声信号や着信音等を再生する。
【００５１】
バッテリー３０９は、ＣＰＵ１００やＣＰＵ１００以外の各部へ電力を供給するためのものであり、二次電池からなる。バッテリー３０９は電源部３１０に接続されている。
【００５２】
電源部３１０は、バッテリー３０９の電圧を各部に必要な大きさの電圧に変換して各部へ供給する。また、電源部３１０は、外部電源（図示せず）を介して供給された電力をバッテリー３０９へ供給して、バッテリー３０９を充電する。
【００５３】
クロック３１１は、時間を計測し、計測した時間を応じた信号をＣＰＵ１００へ出力する。
【００５４】
メモリ２００は、ＲＯＭおよびＲＡＭを含む。メモリ２００には、ＣＰＵ１００に制御機能を付与するための制御プログラムが記憶されている。メモリ２００には、カメラモジュール１４で撮影した画像データ、通信モジュール３０４を介して外部から取り込んだ情報、および各タッチセンサ１２、２２により入力された情報が所定のファイル形式で保存される。
【００５５】
メモリ２００には、後述するキーロック機能を解除するための条件が記録されている。キーロック機能を解除するための条件は、予め設定されていてもよいし、ユーザにより設定されてもよい。解除条件は、第１タッチセンサ１２により検出される入力と、第２タッチセンサ２２により検出される入力との組合せからなる。
【００５６】
また、メモリ２００には、画像−位置対応情報が記憶されている。画像−位置対応情報は、各画面に含まれている画像が示す内容と、その画像が表示される位置とを対応付けた情報である。なお、画像は絵や文字などを含む。たとえば、画像にはアイコンやボタン、図４（ｂ）に示すタップエリア、図６に示す文字を含む領域などが挙げられる。たとえば、図４（ｂ）のタップエリアを含む各画面が各表示面１１ａ１、２１ａ１に表示されている場合、タップエリアの画像に関する画像−位置対応情報がメモリ２００に記憶される。タップエリアの画像が示す内容は、キーロック機能を解除するためのタッチによる入力を受け付ける有効領域を示す。画像が表示される位置としては、各画面においてけるタップエリアの範囲が座標などにより表わされる。また、図４（ａ）に示すように、キーロック設定ボタンを含む第２画面が第２表示面２１ａ１に表示されている場合、キーロック設定ボタンに関する画像−位置対応情報がメモリ２００に記憶される。キーロック設定ボタンが示す内容は、キーロック機能を設定する処理を実行することである。画像−位置対応情報には、第２画面においてキーロック設定ボタンが表示されている位置が座標などの形式で表わされる。
【００５７】
ＣＰＵ１００は、キー入力回路３０３および各タッチセンサ１２、２２からの操作入力信号に基づき、制御プログラムに従って、カメラモジュール１４、マイク３５、通信モジュール３０４、液晶パネル１１ａ、２１ａ、スピーカ３８、スピーカ３８等を動作させる。これにより、ＣＰＵ１００は、通話機能、電子メール機能、キーロック機能等の各種アプリケーションを実行する。
【００５８】
ＣＰＵ１００は、判断部として、各タッチセンサ１２、２２からの位置信号を受ける。ＣＰＵ１００は、画像−位置対応情報を参照して、位置信号に対応する画像の内容を求め
る。たとえば、位置信号に応じた位置が、タップエリアの画像範囲に含まれていれば、ＣＰＵ１００は、位置信号がキーロック機能を解除するための入力に対応することを判定する。そして、ＣＰＵ１００は、キーロック機能を解除するための入力がメモリ２００に記憶されるキーロック機能の解除条件に一致するか否かを判断する。
【００５９】
ＣＰＵ１００は、各タッチセンサ１２、２２を通じた入力情報がキーロック機能の解除条件に一致すると判断部が判断すると、機能制御部として、第１タッチセンサ１２および第２タッチセンサ２２の一方または両方のキーロック機能を解除する。
【００６０】
ＣＰＵ１００は、ユーザからの入力情報やソフトウェアからの情報に従って、機能制御部として、キーロック機能を設定する。
【００６１】
たとえば、図４（ａ）に示すように、第１表示面１１ａ１に表示されるキーロック設定ボタンをユーザがタッチすると、第１タッチセンサ１２はタッチ位置に応じた位置信号をＣＰＵ１００へ出力する。ＣＰＵ１００は、第１タッチセンサ１２から位置信号を受け、位置信号に対応する画像の内容をメモリ２００の画像−位置対応情報から特定する。この場合、位置信号が示す位置はキーロック設定ボタンの範囲に含まれるので、ＣＰＵ１００は、キーロック設定ボタンの内容に応じて、キーロック機能を有効にする。
【００６２】
また、ハードキー３７にキーロック機能を設定する処理が割り当てられている場合、そのハードキー３７がユーザに押されると、ＣＰＵ１００は、キー入力回路３０３から入力信号を受けて、キーロック機能を実行する。
【００６３】
さらに、ＣＰＵ１００は、各タッチセンサ１２、２２およびキー入力回路３０３からの入力信号を観察し、入力信号が無くなってからの経過時間をクロック３１１からの信号に基づいて計測する。計測時間が所定時間を超えると、ＣＰＵ１００は、キーロック機能を実行する。
【００６４】
なお、キーロック機能が設定されると、各タッチセンサ１２、２２を通じたユーザからの入力が無効になる。一方、キーロック機能が解除されると、ユーザからの入力が受け付けられ、入力に応じた処理が実行される。また、入力の無効には、各タッチセンサ１２、２２がユーザからの入力を検出しない場合と、各タッチセンサ１２、２２が入力を検出しても、ＣＰＵ１００が各タッチセンサ１２、２２からの入力に基づいた処理を実行しない場合とが含まれる。
【００６５】
ＣＰＵ１００は、表示制御部として、機能制御部の制御およびユーザ操作による入力に基づいて、映像デコーダ３０６およびバックライト駆動回路３０５へ制御信号を出力する。たとえば、キーロック機能が設定されると、ＣＰＵ１００は、バックライト駆動回路３０５を制御し、各バックライト１１ｂ、２１ｂを消灯する。一方、ユーザがハードキー３７を押すと、ＣＰＵ１００は、各バックライト１１ｂ、２１ｂを点灯すると共に、映像デコーダ３０６を制御し、各表示面１１ａ１、２１ａ１に画像を表示させる。なお、画像は、静止画、動画、文字および記号などの情報から構成される。ＣＰＵ１００は、表示制御部として、各表示面１１ａ１、２１ａ１に画像を表示する際のコントラスト、輝度、画面サイズ、および画面の透明度などを制御する。
【００６６】
＜第１の実施形態の処理手順＞
図４（ａ）は、キーロック設定ボタンを含む操作メニュー画面を各表示面１１ａ１、２１ａ１に表示した図である。図４（ｂ）は、キーロック機能を解除するための各画面を各表示面１１ａ１、２１ａ１に表示した図である。図５は、キーロック機能を解除する処理手順を示すフローチャートである。
【００６７】
第１の実施形態では、主に誤作動防止のためのキーロック機能について説明する。
【００６８】
図４（ａ）に示すように、第１画面が第１表示面１１ａ１に表示される。第１画面は、電話、インターネットおよびメールの操作項目を表わすボタンの画像を含む。また、第２画面が第２表示面２１ａ１に表示される。第２画面は、カメラ、スケジュールおよびキーロック設定の操作項目を表わすボタンの画像を含む。
【００６９】
ユーザが、第２表示面２１ａ１に表示されているキーロック設定ボタンの位置に触れると、第２タッチセンサ２２は、第２表示面２１ａ１におけるタッチ位置を検出し、検出した位置に応じた位置信号をＣＰＵ１００へ出力する。ＣＰＵ１００が位置信号を第２タッチセンサ２２から受けると、ＣＰＵ１００は、メモリ２００の画像−位置対応情報を参照し、位置信号に対応する画像の内容を特定する。この場合、画像の内容がキーロック機能の設定であるため、ＣＰＵ１００はキーロック機能を実行し、各タッチセンサ１２、２２からの入力を無効にする。また、ＣＰＵ１００は、バックライト駆動回路３０５を制御し、各バックライト１１ｂ、２１ｂを消灯する。これにより、携帯電話機１における消費電力を抑制する省電力機能が有効になる。
【００７０】
次に、図５を参照して、キーロック機能の解除処理について説明する。なお、本実施形態では、キーロック機能の解除条件が、“第１画面のタップエリアへの２回タップの後、第２画面のタップエリアへの３回タップ”との要件が含まれるように設定されている。以下の説明は、便宜上、この解除条件を、適宜、例に挙げながら、キーロック機能の解除処理を説明する。
【００７１】
キーロック機能および省電力機能が設定されている状態で、ユーザがハードキー３７を押すと、ＣＰＵ１００はハードキー３７が押下されたと判断する(Ｓ１０１:ＹＥＳ)。こ
れにより、省電力機能のみが解除される。そして、ＣＰＵ１００は、キーロック解除のための入力が所定時間の間になされるかを判断するために、クロック３１１からの信号を用いて、ハードキー３７の押下からの経過時間を計測する。
【００７２】
次に、ＣＰＵ１００は、閉鎖センサ２５および開放センサ２６からの信号に基づき、携帯電話機１が開状態を採っているか否かを判断する（Ｓ１０２）。ＣＰＵ１００は、閉鎖センサ２５から信号を受けていれば、携帯電話機１が閉状態であると判断する（Ｓ１０２：ＮＯ）。閉状態では、第１表示面１１ａ１のみが外部に現れ、第２表示面２１ａ１は隠れている。よって、ユーザは２つの表示面１１ａ１、２１ａを利用することができない。そこで、ＣＰＵ１００は、「携帯電話機を開いてください。」などの警告を第１表示面１１ａ１に表示する（Ｓ１０３）。これにより、携帯電話機１を閉状態から開状態にすることがユーザに対して促される。
【００７３】
携帯電話機１が開状態を採れば（Ｓ１０２：ＹＥＳ）、図４（ｂ）に示すように、ＣＰＵ１００は、キーロック機能を解除するための画面を各表示面１１ａ１、２１ａ１に表示する(Ｓ１０４)。第１画面は、上画面、下画面および両画面と記された画面ボタンの画像を含む。解除条件を満たす解除操作がなされた後に、上画面ボタンが選択されると、第１表示面１１ａ１への入力に対するキーロック機能が解除される。あるいは、下画面ボタンが選択されると、第２表示面２１ａ１への入力に対するキーロック機能が解除される。あるいは、両画面ボタンが選択されると、第１表示面１１ａ１および第２表示面２１ａ１の両方への入力に対するキーロック機能が解除される。また、第１画面および第２画面のそれぞれは、タップエリアを示す楕円形の画像を含む。
【００７４】
ＣＰＵ１００は、キーロック機能の解除条件の中から第１ステップをメモリ２００から
読み出す(Ｓ１０５)。上記のように、本実施の形態では、解除条件には、第１画面のタップエリアへの２回タップと、第２画面のタップエリアへの３回タップとの要件が含まれる。よって、解除条件の第１ステップは、第１画面のタップエリアへのタップである。
【００７５】
ＣＰＵ１００は、解除条件の第１ステップに従って、第１画面のタップエリアの色を変化させる（Ｓ１０５）。これにより、第１画面のタップエリアへタップするよう、ユーザが誘導される。
【００７６】
ＣＰＵ１００は、各タッチセンサ１２、２２からの位置信号の入力を監視する(Ｓ１０
６)。各表示面１１ａ１、２１ａ１がタッチされないと、ＣＰＵ１００は、各タッチセン
サ１２、２２から位置信号を受けない。この場合、ＣＰＵ１００は、タップがなされていないと判断する(Ｓ１０６:ＮＯ)。そして、ＣＰＵ１００は、ハードキー３７の押下から
の経過時間が所定時間以内か否かを判断する(Ｓ１０７)。ハードキー３７の押下からの経過時間が所定時間以内であれば(Ｓ１０７:ＹＥＳ)、ＣＰＵ１００は、各タッチセンサ１
２、２２からの入力信号を監視し続ける(Ｓ１０６)。一方、経過時間が所定時間を超えると(Ｓ１０７:ＮＯ)、ＣＰＵ１００は、ハードキー３７が押されてからキーロック機能を
解除するまでの入力が一連になされていないと判断する。そして、ＣＰＵ１００は、各バックライト１１ｂ、２１ｂを消灯して(Ｓ１０８)、処理を終了する。
【００７７】
一方、ＣＰＵ１００が各タッチセンサ１２、２２から位置信号を受けると、ＣＰＵ１００は各表示面１１ａ１、２１ａ１にタッチがなされたと判断する。続いて、ＣＰＵ１００はタッチがタップに相当するかを判断する。具体的には、ＣＰＵ１００は、クロック３１１からの信号を受け、タッチからリリースまでの時間を計測する。計測時間が所定時間より長ければ、ＣＰＵ１００はタッチがタップではないと判断する（Ｓ１０６：ＮＯ）。この場合、タッチが解除条件のタップに反するため、ＣＰＵ１００は、経過時間の監視を継続し、経過時間が所定時間を超えれば、各バックライト１１ｂ、２１ｂを消灯して(Ｓ１
０８)、処理を終了する。
【００７８】
一方、タッチからリリースまでの時間が短ければ、ＣＰＵ１００はタッチがタップに相当すると判断する(Ｓ１０６:ＹＥＳ)。次に、ＣＰＵ１００は、位置信号が第１タッチセ
ンサ１２および第２タッチセンサ２２のいずれから入力されたものであるかを判断する(
Ｓ１０９)。ＣＰＵ１００が第２タッチセンサ２２から位置信号を受けていれば、ＣＰＵ
１００は、第２表示面２１ａ１の第２画面がタップされたと判断する(Ｓ１０９:ＮＯ)。
第２画面へのタップは解除条件の第１ステップである第１画面へのタップに一致しないため、ＣＰＵ１００は、各バックライト１１ｂ、２１ｂを消灯して(Ｓ１０８)、処理を終了する。
【００７９】
これに対し、ＣＰＵ１００が第１タッチセンサ１２から位置信号を受けていれば、ＣＰＵ１００は、第１表示面１１ａ１の第１画面がタップされたと判断する。続いて、ＣＰＵ１００は、タップ位置が第１画面のタップエリア内であるかを判断するために、第１タッチセンサ１２からの位置信号に応じた位置と、第１画面のタップエリアの位置とを比較する。位置信号に応じた位置がタップエリアの位置の範囲内でなければ、ＣＰＵ１００はタップ位置がタップエリアの外であると判断する(Ｓ１０９:ＮＯ)。これは解除条件に一致
しないため、ＣＰＵ１００は、各バックライト１１ｂ、２１ｂを消灯して(Ｓ１０８)、処理を終了する。
【００８０】
第１タッチセンサ１２による位置がタップエリアの位置の範囲内であれば、ＣＰＵ１００はタップ位置がタップエリア内であると判断する(Ｓ１０９:ＹＥＳ)。これにより、解
除条件の第１ステップがクリアされる。
【００８１】
次に、ＣＰＵ１００は、タップされた回数ｎに「１」を加算する（Ｓ１１０）。タップされた回数が「０」であったなら、「１」となる。タップされた回数が５回未満であれば（Ｓ１１１：ＹＥＳ）、ステップＳ１０５の処理に戻る。なお、Ｓ１０４にて解除画面が表示されると、回数ｎに０がセットされる。
【００８２】
ＣＰＵ１００は、キーロックの解除条件の第２ステップをメモリ２００から読み出す。上記のように、解除条件の第２ステップは、第１画面のタップエリアへのタップである。ＣＰＵ１００は、第２ステップに従って第１画面のタップエリアの色を変化させる（Ｓ１０５）。そして、所定時間以内に（Ｓ１０７：ＹＥＳ）、ＣＰＵ１００は、第１表示面１１ａ１がタップされたか否かを判断する（Ｓ１０６、Ｓ１０９）。第１表示面１１ａ１へのタップが繰り返されたのであれば（Ｓ１０５：ＹＥＳ、Ｓ１０８：ＹＥＳ）、ＣＰＵ１００は、タップされた回数に１を加算し（Ｓ１１０）、タップされた回数が２回であると判断する（Ｓ１１１：ＮＯ）。
【００８３】
上記Ｓ１０５からＳ１１１までの処理が、解除条件における要件のステップ回数まで繰り返される。上記のように、本実施形態では、解除条件における要件のステップ回数が５回（第１画面のタップエリアへの２回タップと、第２画面のタップエリアへの３回タップ）に設定されている。残り３回のステップは、何れも、第２画面のタップエリアへのタップである。Ｓ１１０にてカウントアップされるタップ回数が５回となり、解除条件の要件のステップ回数がクリアされると（Ｓ１１１：ＹＥＳ）、ＣＰＵ１００は、図４（ｂ）に示す、３つの画面ボタンの色を変化させる（Ｓ１１２）。これにより、ユーザは、３つの画面ボタンのいずれかを選択するように誘導される。
【００８４】
ＣＰＵ１００は、第１タッチセンサ１２からの位置信号を監視する（Ｓ１１３）。３つの画面ボタンのいずれかが選択されると、ＣＰＵ１００が第１タッチセンサ１２から位置信号を受け、位置信号に応じた位置を特定する。ＣＰＵ１００は、特定した位置に対応するボタンの内容を、メモリ２００の画像−位置対応情報により求める。
【００８５】
選択されたボタン情報が両画面でなければ（Ｓ１１３：ＮＯ）、ＣＰＵ１００は、選択されなかった表示面のバックライトを消灯し（Ｓ１１４）、選択された表示面に対するキーロック機能を解除する（Ｓ１１５）。たとえば、選択された画面ボタンが上画面であれば、ＣＰＵ１００は、第２表示面２１ａ１のバックライトを消灯し、第１表示面１１ａ１に対するキーロック機能を解除する。また、選択された画面ボタンが下画面であれば、ＣＰＵ１００は、第１表示面１１ａ１のバックライトを消灯し、第２表示面２１ａ１に対するキーロック機能を解除する。
【００８６】
一方、選択されたボタン情報が両画面であれば（Ｓ１１３：ＹＥＳ）、ＣＰＵ１００は、第１表示面１１ａ１および第２表示面２１ａ１に対するキーロック機能を解除する（Ｓ１１６）。
【００８７】
以上、本実施の形態によれば、２つの表示面１１ａ１、２１ａ１に対する一連のタップ動作に基づいてキーロック機能の解除が判定される。このように、両方の表示面を一連の手順でタップすることは、ユーザが意図せずには起こり難い。このため、キーロック機能の解除条件に従って、両方の表示面に対して入力されたか否かを、より的確に判断することができる。したがって、ユーザの意図しない入力による誤動作をさらに確実に防止することができる。
【００８８】
また、本実施の形態によれば、キーロック機能を解除する表示面を選択することができる。これにより、キーロック機能が解除されずに設定されたままの表示面では入力が無効にされる。このため、キーロック機能が有効な表示面に不本意に入力されてしまうことを
気にする必要が無い。さらに、キーロック機能が有効な表示面は消灯されたままであるため、消費電力の削減が図られる。
【００８９】
＜第２実施形態＞
第２実施形態の携帯電話機１では、主に不正使用防止のためのキーロック機能について説明する。なお、不正使用防止の目的から、キーロック機能を解除するための条件は、携帯電話機１の利用を認証するための条件も兼ねる。このため、本実施形態では、不正使用防止を目的としたキーロック機能を解除するための条件を、認証付き解除条件と称す。
【００９０】
ＣＰＵ１００は、機能制御部として、第１タッチセンサ１２からの入力信号および第２タッチセンサ２２からの入力信号の一方または両方に基づいて、認証付き解除条件を作成し、メモリ２００に記憶する。
【００９１】
図６は、認証付き解除条件を設定するための画面を表わす。
【００９２】
第１画面が第１表示面１１ａ１に表示される。第１画面は「ステップ数は」、「決定」、「開始画面は」と示された画像を含む。「ステップ数は」の画像の内容は、認証付き解除条件のステップ数を入力するための領域を示す。このステップ数の入力領域がタッチされると、第１タッチセンサ１２はタッチ位置を検出し、タッチ位置に応じた位置信号をＣＰＵ１００へ入力する。ＣＰＵ１００は、メモリ２００の画像−位置対応情報を参照し、位置信号に対応する画像の内容として、ステップ数が入力されていることを判断する。ステップ数の入力領域がタッチされる度に、ＣＰＵ１００は、ステップ数を１つずつ増やして、ステップ数を入力領域に表示する。たとえば、ステップ数の入力領域が３回タッチされると、ＣＰＵ１００は、３ステップと表示する。そして、「決定」の画像がタッチされると、ＣＰＵ１００は、第１タッチセンサ１２からの位置信号に応じて、画像−位置対応情報から決定が選択されたと判断する。これにより、認証付き解除条件のステップ数が３回と決定される。
【００９３】
「開始画面は」の画像の内容は、認証付き解除条件の第１ステップにおいて、上画面および下画面のどちらから処理が開始されるかを入力するための領域を示す。たとえば、開始画面の入力領域において、下画面の位置がタッチされると、ＣＰＵ１００は、第１タッチセンサ１２からタッチ位置に基づく位置信号を受ける。ＣＰＵ１００は、メモリ２００の画像−位置対応情報を参照し、位置信号に応じた位置から下画面が選択されたと判断する。それから、「決定」の画像がタッチされると、ＣＰＵ１００は、第１タッチセンサ１２からの位置信号により、決定が選択されたと判断する。これにより、認証付き解除条件の第１ステップは下画面であることが決定される。
【００９４】
この例では、“認証付き解除条件のステップ数：３ステップ”および“開始画面：下画面”が決定されたことから、ステップ内容を決定するための第２画面が第２表示面２１ａ１に表示される。第２画面には、第１〜第３ステップの入力領域が設けられる。開始画面が下画面であるため、第１ステップの入力領域には「下画面」と表示される。次の第２ステップの入力領域には「上画面」と表示され、さらに続く第３ステップの入力領域には「下画面」と表示される。
【００９５】
第１ステップの入力領域がタッチされると、ＣＰＵ１００は、第２タッチセンサ２２から位置信号に受ける。ＣＰＵ１００は、画像−位置対応情報に基づき、位置信号から第１ステップの入力領域がタッチされたと判断する。ＣＰＵ１００は、第１ステップの入力領域がタッチされた回数をタップ回数と判断して、タップ回数を第１ステップの入力領域に表示する。同様にして、第２および第３ステップの入力領域におけるタップ回数が求められ、タップ回数が各入力領域に表示される。図６の例では、第１ステップの入力領域が１
回タッチされたことから、下画面のタップ回数は１回と入力される。第２ステップの入力領域が２回タッチされたことから、上画面のタップ回数は２回と入力される。第３ステップの入力領域が６回タッチされたことから、上画面のタップ回数は６回と入力される。
【００９６】
各ステップのタップ回数が入力されてから、「決定」の画像がタッチされると、ＣＰＵ１００は、第１タッチセンサ１２からの位置信号を受け、決定が選択されたと判断する。これにより、ＣＰＵ１００は、認証付き解除条件における各ステップの内容を設定し、認証付き解除条件をメモリ２００に記憶する。
【００９７】
図７は、認証付き解除条件に従ってキーロック機能を解除する処理手順を示すフローチャートである。図８は、キーロック機能を解除するための各画面を各表示面１１ａ１、２１ａ１に表示した図である。
【００９８】
図７を参照して、キーロック機能および省電力機能が有効な状態において、ハードキー３７が押されると、ＣＰＵ１００はハードキー３７が押下されたと判断する(Ｓ２０１:ＹＥＳ)。ＣＰＵ１００は、キーロック解除のための入力が所定時間の間になされるかを判
断するために、ＣＰＵ１００は、クロック３１１からの信号を用いて、ハードキー３７の押下からの経過時間の計測を開始する。
【００９９】
また、ＣＰＵ１００は、閉鎖センサ２５から信号を受けていれば、携帯電話機１が閉状態であると判断する（Ｓ２０２：ＮＯ）。ＣＰＵ１００は、携帯電話機１が開状態を採るように促す警告を表示する（Ｓ２０３）。ＣＰＵ１００が開放センサ２６から信号を受けていれば、ＣＰＵ１００は、携帯電話機１が開状態を採っていると判断する（Ｓ２０２：ＹＥＳ）。
【０１００】
携帯電話機１が開状態であれば、ＣＰＵ１００は、図８に示す、キーロック機能を解除するための画面を各表示面１１ａ１、２１ａ１に表示する(Ｓ２０４)。図８に示すように、第１画面は、解除のボタン画像およびタップエリアの画像を含む。第２画面は、タップエリアの画像を含む。なお、これらの画像に関する内容および位置は、画像−位置対応情報としてメモリ２００に記憶される。
【０１０１】
ＣＰＵ１００は、各タッチセンサ１２、２２からの位置信号を受けると、タッチされたと判断する。そして、ＣＰＵ１００は、位置信号に基づくタッチ位置と、画像−位置対応情報に定められるタップエリアの位置とを比較する。タッチ位置がタップエリア内であれば、ＣＰＵ１００は、クロック３１１からの信号に基づき、タッチからリリースまでの時間を計測し、計測時間が長ければ、タップでないと判断する（Ｓ２０５：ＮＯ）。
【０１０２】
タップが検出されていない場合、ハードキー３７の押下からの経過時間が所定時間以内であれば（Ｓ２０６：ＮＯ）、ＣＰＵ１００は、各タッチセンサ１２、２２からの入力信号を監視し、タップがあるか否かを判断する（Ｓ２０５）。一方、ＣＰＵ１００は、ハードキー３７の押下からの経過時間が所定時間を超えたと判断すると（Ｓ２０６：ＹＥＳ）、キーロック機能を解除するための一連の動作がなされていないとして、ＣＰＵ１００は各バックライト１１ｂ、２１ｂを消灯する（Ｓ２０７）。これにより、キーロック機能が有効なまま、省電力機能が再び実行される。
【０１０３】
タップが検出された場合（Ｓ２０５：ＹＥＳ）、ＣＰＵ１００は、各タッチセンサ１２、２２からの位置信号に基づき、タップされた画面が上画面および下画面のいずれであるかを判断して、タップされた画面を示す情報をタップされた順にメモリ２００に記憶する（Ｓ２０８）。
【０１０４】
次に、ＣＰＵ１００は、第１タッチセンサ１２からの位置信号を受けると、位置信号が示すタッチ位置が解除ボタンの位置に相当するか否かを画像−位置対応情報に基づき判断する。タッチ位置が解除ボタンの位置でなければ、ＣＰＵ１００は、解除ボタンが選択されていないと判断する（Ｓ２０９：ＮＯ）。そして、ＣＰＵ１００は、Ｓ２０５〜Ｓ２０９の処理を繰り返す。
【０１０５】
タッチ位置が解除ボタンの位置に相当すれば、ＣＰＵ１００は、解除ボタンが選択されたと判断する（Ｓ２０９：ＹＥＳ）。これにより、ユーザによるキーロック機能の解除のための入力が終了する。
【０１０６】
ＣＰＵ１００は、メモリ２００に記憶されたタップされた画面の順番が、機能制御部により設定された認証付き解除条件に一致するか否かを判断する（Ｓ２１０）。これらが一致していなければ（Ｓ２１０：ＮＯ）、ＣＰＵ１００は、各表示面１１ａ１、２１ａ１に入力された情報が認証付き解除条件を満たさないとして、各表示面１１ａ１、２１ａ１のバックライトを消灯し（Ｓ２０７）、処理を終了する。
【０１０７】
一方、タップされた画面の順番が認証付き解除条件に一致すれば（Ｓ２１０：ＹＥＳ）、ＣＰＵ１００は第１表示面１１ａ１および第２表示面２１ａ１の両方に対するキーロック機能を解除する（Ｓ２１１）。これにより、第１タッチセンサ１２および第２タッチセンサ２２への入力が有効になり、ユーザは携帯電話機１を利用できるようになる。
【０１０８】
以上、本実施形態によれば、ユーザは、２つの表示面１１ａ１、２１ａ１をタップして、携帯電話機１の利用に関する認証とキーロック機能の解除とのための情報を入力する。このように、情報の入力に２つの表示面１１ａ１、２１ａ１が利用されることにより、入力が偶発的になされてものでないことがより確実に判断され得る。よって、ユーザの意図に即し、携帯電話機１の利用におけるセキュリティの向上が図られる。
【０１０９】
また、本実施の形態によれば、２つのタッチセンサ１２、２２に対する入力に基づき、認証付き解除条件が設定される。
【０１１０】
＜その他の実施形態＞
以上、本発明の実施の形態について説明したが、本発明は、上記実施の形態によって何ら制限されるものではなく、また、本発明の実施の形態も、上記以外に種々の変更が可能である。
【０１１１】
たとえば、第１実施形態では、キーロック機能の解除条件は予め定められていたが、ユーザが解除条件を任意に設定することもできる。また、複数の予め設定された解除条件の中から解除条件をユーザが選択することができるようにすることもできる。
【０１１２】
さらに、第１実施形態では、図４（ｂ）の解除情報を入力するための第１画面に、キーロック機能を解除する画面を選択するボタンが表示された。これに対し、画面選択ボタンが表示されなくてもよい。この場合、ＣＰＵ１００は、図５のＳ１１１にてＹＥＳと判定すると、両方の表示面１１ａ１、２１ａ１に対するキーロック機能を解除し、これにより、２つの表示面１１ａ１、２１ａ１に対する入力が有効になる。すなわち、図５のＳ１１１にてＹＥＳと判定されると、常に、Ｓ１１６の処理へと進められる。
【０１１３】
あるいは、図５のＳ１１１にてＹＥＳと判定された後、所定の時間内に表示面１１ａ１、２１ａ１の何れかをタッチすると、タッチされた表示面のみ、キーロック機能が解除されて良い。この場合、所定時間内に表示面１１ａ１、２１ａ１の両方がタッチされると、両方の表示面に対するキーロック機能が解除される。また、所定時間内に表示面１１ａ１
、２１ａ１の何れにもタッチされないときも、両方の表示面に対するキーロック機能が解除される。このような場合も、図４（ｂ）の表示から、画面選択ボタンが省略される。なお、この場合は、タッチされた表示面についてキーロック機能が解除されることを、音声などによってユーザにアナウンスしてもよい。
【０１１４】
また、第１実施形態では、図４（ｂ）の解除情報を入力するための第１画面に、キーロック機能を解除する画面を選択するボタンが表示された。これに対し、キーロック機能を解除する画面を選択するボタンを、第２画面に表示してもよいし、第１画面および第２画面の両方に表示することもできる。
【０１１５】
さらに、第１実施形態では、タップエリアへのタップをユーザに促すために、タップエリアの色を変化させたが、これに限定されない。たとえば、タップエリアの形を変える、タップエリアの表示および非表示を繰り返す、などタップエリアの状態を変化させることによりタップエリアへのタップを誘導することもできる。
【０１１６】
また、第２実施形態では、ユーザがキーロック機能の解除条件を任意に設定したが、解除条件は予め定められていてもよい。また、複数の予め設定された解除条件の中から所望の解除条件をユーザが選択することができるようにすることもできる。
【０１１７】
また、第２実施形態では、図６に示すように、キーロック機能を解除するための解除条件を設定するための画面を、両表示面１１ａ１、２１ａ１に表示したが、第１表示面１１ａ１だけ、または第２表示面２１ａ１だけに表示することもできる。
【０１１８】
さらに、第２実施形態では、認証付き解除条件では、タップされる画面として、上画面と下画面とが交互に設定された。これに対して、ユーザが任意にタップされる画面を設定することもできる。
【０１１９】
また、第２実施形態では、入力情報が解除条件を具備すると、双方の表示面１１ａ１、２１ａ１に対するキーロック機能が解除された。これに対し、たとえば、第１実施形態のように、キーロック機能を解除する表示面を選択できるようにすることもできる。
【０１２０】
また、上記実施形態では、キーロック機能を解除する画面にタップエリアの画像を表示したが、これに限定されず、ユーザのわかり易い画像を用いることもできる。たとえば、鍵の画像および鍵穴の画像がキーロック機能の解除画面に表示される。ユーザが、鍵の画像にタッチし、タッチ位置を移動させる。タッチ位置の移動に応じて鍵の画像が移動し、鍵の画像の位置が鍵穴の画像の位置に達すると、キーロック機能が解除される。この場合、第１画面および第２画面の一方が、最初（移動前）の鍵の画像を含み、他方が鍵穴の画像を含む。
【０１２１】
上記実施形態では、第１表示面１１ａ１に対するキーロック機能の解除条件、第２表示面２１ａ１に対するキーロック機能の解除条件、および双方の表示面１１ａ１、２１ａ１に対するキーロック機能の解除条件はともに同じであった。これに対し、各解除条件を別々に設定することもできる。この場合、各解除条件を満たす入力がなされると、対応する表示面のキーロック機能が解除される。
【０１２２】
また、上記実施形態では、解除条件の各ステップに上画面のみへのタップおよび下画面のみへのタップが設定された。これに対し、上画面と下画面とを同時にタップすることを解除条件のステップの１つとして設定することもできる。上画面および下画面への同時タップは偶然に起こり難い。よって、両画面へのタップを解除条件の１つのステップに設定すれば、ユーザの意図に応じてキーロック機能の解除をさらに正確に判断することができ
る。
【０１２３】
さらに、上記実施形態では、両方のタッチセンサ１２、２２に対するキーロック機能が設定され、両方の表示面１１ａ１、２１ａ１にタップエリアが表示された。これに対して、第１タッチセンサ１２にキーロック機能が設定されている場合、第２表示面２１ａ１にタップエリアが表示されてもよい。反対に、第２タッチセンサ２２にキーロック機能が設定されている場合、第１表示面１１ａ１にタップエリアが表示されてもよい。これにより、キーロック機能が設定されていないタッチセンサへの入力が解除条件に一致すると、タッチセンサに対するキーロック機能を解除する。
【０１２４】
また、上記実施形態では、双方の表示面１１ａ１、２１ａ１のタップエリアへの順序および回数が解除条件として設定されたが、いずれか一方だけでもよい。たとえば、各タップエリアへ１回ずつタップする場合、双方の表示面１１ａ１、２１ａ１のタップエリアにタップする順序が解除条件として設定される。また、双方の表示面１１ａ１、２１ａ１のタップエリアにタップする順序は関係なく、各タップエリアへのタップ回数のみが解除条件として設定される。さらに、第１タッチセンサ１２にキーロック機能が設定されている場合、第２表示面２１ａ１のタップエリアへのタップ回数のみが第１タッチセンサ１２に対するキーロック機能の解除条件に設定される。反対に、第２タッチセンサ２２にキーロック機能が設定されている場合、第１表示面１１ａ１のタップエリアへのタップ回数のみが第２タッチセンサ２２に対するキーロック機能の解除条件に設定される。
【０１２５】
さらに、上記実施形態では、タップ動作を解除条件としたが、これに限定されない。たとえばタッチ位置を移動させるスライド動作、および、タッチ位置を短時間に所定距離以上移動するフリック動作などを解除条件とすることもできる。たとえば、スライド動作がなされ、所定距離（たとえば、５０ピクセル）以上、タッチ位置が移動する入力を各タッチセンサ２１、２２からＣＰＵ１００が受けると、ＣＰＵ１００はキーロック機能を解除するための入力がなされたと判断する。また、フリック動作がなされ、所定時間（たとえば、０．５ｍｓ）以内に、所定距離（たとえば、５０ピクセル）以上、タッチ位置が移動する入力を各タッチセンサ２１、２２からＣＰＵ１００が受けると、ＣＰＵ１００はキーロック機能を解除するための入力がなされたと判断する。
【０１２６】
また、上記実施形態では、第１表示面１１ａ１に表示されるキーロック設定ボタンをユーザがタッチしたり、キーロック機能を設定するハードキー３７をユーザが押したり、各タッチセンサ１２、２２およびキー入力回路３０３からの入力信号が所定時間以上なかったりすると、ＣＰＵ１００はキーロック機能を設定したが、これに限定されない。たとえば、電源キー３６が所定回数連続して押された場合、電源がＯＦＦからＯＮにされた場合、各キャビネット１０、２０が開状態から閉状態に変化した場合などにキーロック機能が設定されてもよい。
【０１２７】
さらに、上記実施形態において、キーロック機能の設定中に着信があると、着信に応答するための入力を受け付けることもできる。この場合、着信に対する応答以外の入力は受け付けられない。
【０１２８】
さらに、上記実施形態では、２つのタッチパネルを携帯電話機に設けたが、３つ以上のタッチパネルを設けることもできる。
【０１２９】
また、上記実施形態では、携帯電話機１を用いたが、ＰＤＡや携帯ゲーム機などの携帯端末装置を用いることもできる。
【０１３０】
この他、本発明の実施の形態は、特許請求の範囲に示された技術的思想の範囲内におい
て、適宜、種々の変更が可能である。たとえば、上記実施形態の一部または全部を組み合わせることができる。
【符号の説明】
【０１３１】
１  携帯電話機
１１  第１ディスプレイ
１１ｂ  第１バックライト
１２  第１タッチセンサ
２１  第２ディスプレイ
２１ｂ  第２バックライト
２２  第２タッチセンサ
１００  ＣＰＵ
２００  メモリ
【図１】
0005660868.tif 000002
【図２】
0005660868.tif 000003
【図３】
0005660868.tif 000004
【図４】
0005660868.tif 000005
【図５】
0005660868.tif 000006
【図６】
0005660868.tif 000007
【図７】
0005660868.tif 000008
【図８】
0005660868.tif 000009